(57)【要約】【課題】  通信信号線が１００ｍを超えるような状態でも、通信信号線に乗るノイズの影響が小さいカレントループ型の通信制御装置の提供。【解決手段】  装置１ａの受信用フォトカプラ６の発光素子６ｄ、送信用フォトカプラ７の受光素子７ｔ、装置２ａの受信用フォトカプラ８の発光素子８ｄ、送信用フォトカプラ９の受光素子９ｔ、装置１ａ，２ａを接続する通信信号線３ｃ、及び装置１ａが備える電源回路３７によりカレントループを形成し、装置１ａ，２ａの各制御部１４，１５が、カレントループに流れる電流を通流／遮断して作成したデジタル信号を、送受信する通信制御装置。受信用フォトカプラ６の発光素子６ｄに並列接続された第１抵抗１６と、受信用フォトカプラ８の発光素子８ｄに並列接続された第２抵抗１７と、受信用フォトカプラ８の受光素子８ｔの電流出力端子及びＧＮＤ端子間を接続した第３抵抗１８とを備える。【選択図】        図１
2006129276.tif 000002
【特許請求の範囲】
【請求項１】
２つの装置に送信用及び受信用の各フォトカプラを備え、一方の装置の受信用フォトカプラの発光素子、送信用フォトカプラの受光素子、他方の装置の受信用フォトカプラの発光素子、送信用フォトカプラの受光素子、前記２つの装置を接続する１本の通信信号線、及び前記一方の装置が備える電源回路によりカレントループを形成し、前記２つの装置の各制御部が、該カレントループに流れる電流を通流／遮断して作成したデジタル信号を、送受信するように構成してある通信制御装置において、
前記一方の装置の受信用フォトカプラの発光素子に並列接続された第１抵抗と、前記他方の装置の受信用フォトカプラの発光素子に並列接続された第２抵抗と、該受信用フォトカプラの受光素子の電流出力端子及びＧＮＤ端子間に接続された第３抵抗とを備えることを特徴とする通信制御装置。
【請求項２】
前記第１抵抗、第２抵抗及び第３抵抗の一部又は全部が可変抵抗である請求項１記載の通信制御装置。
【請求項３】
２つの装置に送信用及び受信用の各フォトカプラを備え、一方の装置の受信用フォトカプラの発光素子、送信用フォトカプラの受光素子、他方の装置の受信用フォトカプラの発光素子、送信用フォトカプラの受光素子、前記２つの装置を接続する１本の通信信号線、及び前記一方の装置が備える電源回路によりカレントループを形成し、前記２つの装置の各制御部が、該カレントループに流れる電流を通流／遮断して作成したデジタル信号を、送受信するように構成してある通信制御装置において、
前記一方の装置の受信用のフォトカプラの発光素子に並列接続された第１抵抗と、前記他方の装置の受信用フォトカプラの発光素子に並列接続された第２抵抗と、前記他方の装置の送信用フォトカプラの受光素子に並列接続された第４抵抗とを備えることを特徴とする通信制御装置。
【請求項４】
２つの装置に送信用及び受信用の各フォトカプラを備え、一方の装置の受信用フォトカプラの発光素子、送信用フォトカプラの受光素子、他方の装置の受信用フォトカプラの発光素子、送信用フォトカプラの受光素子、前記２つの装置を接続する１本の通信信号線、及び前記一方の装置が備える電源回路によりカレントループを形成し、前記２つの装置の各制御部が、該カレントループに流れる電流を通流／遮断して作成したデジタル信号を、送受信するように構成してある通信制御装置において、
前記一方の装置の受信用のフォトカプラの発光素子に並列接続された第１抵抗と、前記他方の装置の受信用フォトカプラの発光素子に並列接続された第２抵抗とを備え、前記他方の装置の送信用フォトカプラの受光素子に第４抵抗を並列接続するように構成してあることを特徴とする通信制御装置。
【請求項５】
前記第１抵抗、第２抵抗及び第４抵抗の一部又は全部が可変抵抗である請求項３又は４記載の通信制御装置。
【請求項６】
請求項１乃至５の何れか１項に記載された通信制御装置を備え、室内機が有する受信用フォトカプラの発光素子、送信用フォトカプラの受光素子、室外機が有する受信用フォトカプラの発光素子、送信用フォトカプラの受光素子、前記室内機と室外機とを接続する１本の通信信号線、及び前記室内機が有する電源回路によりカレントループを形成し、前記室内機及び室外機の各制御部が、該カレントループに流れる電流を通流／遮断して作成したデジタル信号を、送受信するように構成してあることを特徴とする空気調和機。
【発明の詳細な説明】
【技術分野】
【０００１】
本発明は、２つの装置間でカレントループを形成し、カレントループに流れる電流を通流／遮断して作成したデジタル信号を、２つの装置間で送受信するように構成してある通信制御装置、及びこの通信制御装置を備えて、室内機及び室外機間で制御の為の通信を行う空気調和機に関するものである。
【背景技術】
【０００２】
室内ユニット及び室外ユニットに分かれたセパレート型の空気調和機では、各ユニット内にマイクロコンピュータ等で構成された制御部が設けられており、各制御部は、室内外の気温等の情報及び制御信号等を互いに伝える為、各制御部間で通信（以下、内外通信と記す）を行なっている。
特許文献１には、図７に示すような空気調和機の内外通信の為の室内外通信制御装置が開示されている。この室内外通信制御装置では、室内ユニット１側で商用交流電源５を整流する直流電源部３７を電源とするカレントループ型の通信回路が構成されている。
【０００３】
直流電源部３７は、室内ユニット１の第２端子を介して、商用交流電源５の一方の端子にカソードが接続されたツェナーダイオード１３、電解コンデンサ２６及び抵抗２５の並列回路と、室内ユニット１の第１端子を介して、商用交流電源５の他方の端子にカソードが接続されたダイオード１２と、ダイオード１２及びツェナーダイオード１３の各アノード間を接続する抵抗３２とを備えている。
ツェナーダイオード１３のアノードは、室内ユニット１の送信用フォトカプラ７のフォトトランジスタ７ｔのエミッタに接続され、フォトカプラ７の発光ダイオード７ｄのカソードは、抵抗２３を介して、室内ユニット１の制御部１４の送信部３４に接続されている。フォトカプラ７の発光ダイオード７ｄのアノードは、図示しない電源端子に接続されている。
【０００４】
フォトカプラ７のフォトトランジスタ７ｔのコレクタは、室内ユニット１の受信用フォトカプラ６の発光ダイオード６ｄのカソードに接続され、そのアノードは、順接続されたダイオード１０及び抵抗２０を通じて、室内ユニット１の第３端子に接続されている。
フォトカプラ６のフォトトランジスタ６ｔのエミッタは、抵抗２４を通じてＧＮＤ端子に接続されると共に、制御部１４の受信部３３に接続され、そのコレクタは、図示しない電源端子に接続されている。
【０００５】
室外ユニット２の送信用フォトカプラ９のフォトトランジスタ９ｔのエミッタは、抵抗２１を通じて、室外ユニット２の第３端子に接続され、フォトカプラ９の発光ダイオード９ｄのカソードは、抵抗３１を通じて、室外ユニット２の制御部１５の送信部３６に接続されている。フォトカプラ９の発光ダイオード９ｄのアノードは、図示しない電源端子に接続されると共に、発光ダイオード９ｄには抵抗３０が並列接続されている。
【０００６】
フォトカプラ９のフォトトランジスタ９ｔのコレクタは、室外ユニット２の受信用フォトカプラ８の発光ダイオード８ｄのカソードに接続され、そのアノードは、順接続されたダイオード１１を通じて、室外ユニット２の第２端子に接続されている。フォトカプラ８の発光ダイオード８ｄには、コンデンサ２８が並列接続されている。
フォトカプラ８のフォトトランジスタ８ｔのエミッタは、抵抗１８及びコンデンサ２９の並列回路を通じてＧＮＤ端子に接続されると共に、制御部１５の受信部３５に接続され、そのコレクタは、図示しない電源端子に接続されている。
室外ユニット２の第２端子及び第３端子間には、コンデンサ２７が接続されている。
【０００７】
室内ユニット１及び室外ユニット２は、各第１端子を接続する交流電源供給線３ａと、各第２端子を接続する交流電源供給線３ｂと、各第３端子を接続する１本の通信信号線３ｃとを備えるケーブル３により接続されている。また、室内ユニット１及び室外ユニット２は、接地アース４に接続されている。
この室内外通信制御装置は、以上のように、室内ユニット1内の直流電源部３７を電源として、室内ユニット１の受信用フォトカプラ６の発光ダイオード６ｄ、送信用フォトカプラ７のフォトトランジスタ７ｔ、室外ユニット２の受信用フォトカプラ８の発光ダイオード８ｄ、送信用フォトカプラ９のフォトトランジスタ９ｔ及び通信信号線３ｃによるカレントループ型通信回路を構成することで、商用交流電源５の電源位相とは無関係に送受信を行なえることが特徴である。
【０００８】
カレントループ型通信回路における送信用のスイッチング素子および受信用の電流検出素子には、上述したように、フォトカプラ６〜９が用いられている。
室内ユニット１から室外ユニット２へ送信する場合、制御部１５からの信号によって、室外ユニット２の送信用フォトカプラ９をオン状態に保った状態で、室内ユニット１の送信用フォトカプラ６をオン／オフする。また、室外ユニット２から室内ユニット１へ送信する場合、制御部１４からの信号によって、室内ユニット１の送信用フォトカプラ７をオン状態に保った状態で、室外ユニット２の送信用フォトカプラ９をオン／オフする。
【０００９】
これにより、カレントループ型通信回路のループ電流を通電／遮断し、そのループ電流を双方のユニット内の受信用フォトカプラ６，８により検出している。双方のユニット内のフォトカプラ６，８により検出することで、受信側ユニットにおいて受信を行なえると共に、送信側ユニットにおいても送信結果を確認しながら通信することが出来るという利点が有る。
【００１０】
室内ユニット１が電源供給側ユニットである空気調和機の場合、通信は、先ず、電源被供給側である室外ユニット２から室内ユニット1への送信から開始される。即ち、室内ユニット1の送信スイッチング素子であるフォトカプラ７は、オン状態に保たれ、室外ユニット２側の制御部１５により、送信信号に合わせて室外ユニット２内の送信用フォトカプラ９がオン／オフされる。このとき、双方の受信用フォトカプラ６，８で送信信号を受信することが出来る。
室外ユニット２から室内ユニット１への送信が完了すれば、次に室内ユニット１から室外ユニット２への送信が行なわれ、その後は、順次、交互に送受信を行なうことにより、室内外通信を継続して行なうことが出来る。
【特許文献１】特開平６−１４７６１６号公報
【発明の開示】
【発明が解決しようとする課題】
【００１１】
上述した従来の空気調和機の室内外通信制御装置では、室内ユニット１（室内機）及び室外ユニット２（室外機）を接続するケーブル３が、例えば１００ｍを超えるような状態で、空気調和機が設置された場合、ケーブル３の通信信号線３ｃにノイズ等が乗って、室内外通信を正常に行えない状態が生じ、空気調和機が正常に作動出来ないことがあるという問題点があった。
【００１２】
本発明は、上述したような事情に鑑みてなされたものであり、通信信号線が１００ｍを超えるような状態でも、通信信号線に乗るノイズの影響が小さいカレントループ型の通信制御装置を提供することを目的とする。
また、本発明は、室内機及び室外機を接続するケーブルが１００ｍを超えるような状態でも、ケーブルの通信信号線に乗るノイズの影響が小さい通信制御装置を備え、通信信号線のノイズに起因して、異常に作動することがない空気調和機を提供することを目的とする。
【課題を解決するための手段】
【００１３】
本発明に係る通信制御装置は、２つの装置に送信用及び受信用の各フォトカプラを備え、一方の装置の受信用フォトカプラの発光素子、送信用フォトカプラの受光素子、他方の装置の受信用フォトカプラの発光素子、送信用フォトカプラの受光素子、前記２つの装置を接続する１本の通信信号線、及び前記一方の装置が備える電源回路によりカレントループを形成し、前記２つの装置の各制御部が、該カレントループに流れる電流を通流／遮断して作成したデジタル信号を、送受信するように構成してある通信制御装置において、前記一方の装置の受信用のフォトカプラの発光素子に並列接続された第１抵抗と、前記他方の装置の受信用フォトカプラの発光素子に並列接続された第２抵抗と、該受信用フォトカプラの受光素子の電流出力端子及びＧＮＤ端子間に接続された第３抵抗とを備えることを特徴とする。
【００１４】
この通信制御装置では、２つの装置に送信用及び受信用の各フォトカプラを備え、一方の装置の受信用フォトカプラの発光素子、送信用フォトカプラの受光素子、他方の装置の受信用フォトカプラの発光素子、送信用フォトカプラの受光素子、２つの装置を接続する１本の通信信号線、及び一方の装置が備える電源回路によりカレントループを形成する。２つの装置の各制御部が、カレントループに流れる電流を通流／遮断して作成したデジタル信号を送受信する。第１抵抗が、一方の装置の受信用のフォトカプラの発光素子に並列接続され、第２抵抗が、他方の装置の受信用フォトカプラの発光素子に並列接続され、第３抵抗が、その受信用フォトカプラの受光素子の電流出力端子及びＧＮＤ端子間に接続されている。
【００１５】
本発明に係る通信制御装置は、前記第１抵抗、第２抵抗及び第３抵抗の一部又は全部が可変抵抗であることを特徴とする。
【００１６】
本発明に係る通信制御装置は、２つの装置に送信用及び受信用の各フォトカプラを備え、一方の装置の受信用フォトカプラの発光素子、送信用フォトカプラの受光素子、他方の装置の受信用フォトカプラの発光素子、送信用フォトカプラの受光素子、前記２つの装置を接続する１本の通信信号線、及び前記一方の装置が備える電源回路によりカレントループを形成し、前記２つの装置の各制御部が、該カレントループに流れる電流を通流／遮断して作成したデジタル信号を、送受信するように構成してある通信制御装置において、前記一方の装置の受信用のフォトカプラの発光素子に並列接続された第１抵抗と、前記他方の装置の受信用フォトカプラの発光素子に並列接続された第２抵抗と、前記他方の装置の送信用フォトカプラの受光素子に並列接続された第４抵抗とを備えることを特徴とする。
【００１７】
この通信制御装置では、２つの装置に送信用及び受信用の各フォトカプラを備え、一方の装置の受信用フォトカプラの発光素子、送信用フォトカプラの受光素子、他方の装置の受信用フォトカプラの発光素子、送信用フォトカプラの受光素子、２つの装置を接続する１本の通信信号線、及び一方の装置が備える電源回路によりカレントループを形成する。２つの装置の各制御部が、カレントループに流れる電流を通流／遮断して作成したデジタル信号を送受信する。第１抵抗が、一方の装置の受信用のフォトカプラの発光素子に並列接続され、第２抵抗が、他方の装置の受信用フォトカプラの発光素子に並列接続され、第４抵抗が、他方の装置の送信用フォトカプラの受光素子に並列接続されている。
【００１８】
本発明に係る通信制御装置は、２つの装置に送信用及び受信用の各フォトカプラを備え、一方の装置の受信用フォトカプラの発光素子、送信用フォトカプラの受光素子、他方の装置の受信用フォトカプラの発光素子、送信用フォトカプラの受光素子、前記２つの装置を接続する１本の通信信号線、及び前記一方の装置が備える電源回路によりカレントループを形成し、前記２つの装置の各制御部が、該カレントループに流れる電流を通流／遮断して作成したデジタル信号を、送受信するように構成してある通信制御装置において、前記一方の装置の受信用のフォトカプラの発光素子に並列接続された第１抵抗と、前記他方の装置の受信用フォトカプラの発光素子に並列接続された第２抵抗とを備え、前記他方の装置の送信用フォトカプラの受光素子に第４抵抗を並列接続するように構成してあることを特徴とする。
【００１９】
この通信制御装置では、２つの装置に送信用及び受信用の各フォトカプラを備え、一方の装置の受信用フォトカプラの発光素子、送信用フォトカプラの受光素子、他方の装置の受信用フォトカプラの発光素子、送信用フォトカプラの受光素子、２つの装置を接続する１本の通信信号線、及び一方の装置が備える電源回路によりカレントループを形成する。２つの装置の各制御部が、カレントループに流れる電流を通流／遮断して作成したデジタル信号を送受信する。第１抵抗が、一方の装置の受信用のフォトカプラの発光素子に並列接続され、第２抵抗が、他方の装置の受信用フォトカプラの発光素子に並列接続され、他方の装置の送信用フォトカプラの受光素子に第４抵抗を並列接続出来るように構成してある。
【００２０】
本発明に係る通信制御装置は、前記第１抵抗、第２抵抗及び第４抵抗の一部又は全部が可変抵抗であることを特徴とする。
【００２１】
本発明に係る空気調和機は、本発明に係る通信制御装置を備え、室内機が有する受信用フォトカプラの発光素子、送信用フォトカプラの受光素子、室外機が有する受信用フォトカプラの発光素子、送信用フォトカプラの受光素子、前記室内機と室外機とを接続する１本の通信信号線、及び前記室内機が有する電源回路によりカレントループを形成し、前記室内機及び室外機の各制御部が、該カレントループに流れる電流を通流／遮断して作成したデジタル信号を、送受信するように構成してあることを特徴とする。
【００２２】
この空気調和機では、本発明に係る通信制御装置を備え、室内機が有する受信用フォトカプラの発光素子、送信用フォトカプラの受光素子、室外機が有する受信用フォトカプラの発光素子、送信用フォトカプラの受光素子、室内機と室外機とを接続する１本の通信信号線、及び室内機が有する電源回路によりカレントループを形成している。室内機及び室外機の各制御部が、このカレントループに流れる電流を通流／遮断して作成したデジタル信号を送受信する。
【発明の効果】
【００２３】
本発明に係る通信制御装置によれば、通信信号線が１００ｍを超えるような場合でも、カレントループ型通信回路の送信用フォトカプラ及び受信用フォトカプラの入出力部に、適正な抵抗値を持つ抵抗を接続しているので、通信信号線に乗るノイズの影響が小さく、信頼性の高い通信制御装置を実現することが出来る。
また、本発明に係る通信制御装置によれば、通信信号線が１００ｍ未満の場合と、通信信号線が１００ｍを超える場合とで、設置工事において、プリント基板上の抵抗の取り付けを容易に変更することが出来、また、通信信号線が１００ｍ未満である通常の場合には、回路の部品点数を削減することも出来、抵コストな通信制御装置を実現することが出来る。
【００２４】
また、本発明に係る通信制御装置によれば、可変抵抗を用いることにより、設置工事時に、通信信号線のノイズ状況に応じて、抵抗の取り付け及び交換をする必要がなく、容易に抵抗値を変える調整方法により、信頼性の高い通信を得ることが出来ると共に、この抵抗値を変える作業時間の短縮を図ることが出来る。
【００２５】
また、本発明に係る空気調和機によれば、室内機及び室外機を接続するケーブルが、１００ｍを超えるような状態でも、ケーブルの通信信号線にノイズが乗ることがない通信制御装置を備え、通信信号線のノイズに起因して、異常に作動することがない空気調和機を実現することが出来る。
【発明を実施するための最良の形態】
【００２６】
以下に、本発明をその実施の形態を示す図面に基づいて説明する。
（実施の形態１）
図１は、本発明に係る通信制御装置及び空気調和機の実施の形態１の要部構成を示すブロック図である。この空気調和機は、室内ユニット１ａ（一方の装置、室内機）及び室外ユニット２ａ（他方の装置、室外機）に分かれたセパレート型である。各ユニット１ａ，２ａ内にマイクロコンピュータ等で構成された制御部１４，１５が設けられており、各制御部１４，１５は、室内外の気温等の情報及び制御信号等を互いに伝える為、各制御部１４，１５間で通信制御装置により通信を行なっている。この通信制御装置は、室内ユニット１ａ側で商用交流電源５を整流する直流電源部３７（電源回路）を電源とするカレントループ型の通信回路が構成されている。
【００２７】
室内ユニット１ａの制御部１４は、室内ユニット１ａが備える図示しないファンの駆動制御等を行い、室外ユニット２ａの制御部１５は、室外ユニット２ａが備える図示しないコンプレッサ及びファンの駆動制御等を行う。
直流電源部３７は、室内ユニット１ａの第２端子を介して、商用交流電源５の一方の端子にカソードが接続されたツェナーダイオード１３、電解コンデンサ２６及び抵抗２５の並列回路と、室内ユニット１ａの第１端子を介して、商用交流電源５の他方の端子にカソードが接続されたダイオード１２と、ダイオード１２及びツェナーダイオード１３の各アノード間を接続する抵抗３２とを備えている。
【００２８】
ツェナーダイオード１３のアノードは、室内ユニット１ａの送信用フォトカプラ７のフォトトランジスタ（受光素子）７ｔのエミッタに接続され、フォトカプラ７の発光ダイオード（発光素子）７ｄのカソードは、抵抗２３を介して、室内ユニット１ａの制御部１４の送信部３４に接続されている。フォトカプラ７の発光ダイオード７ｄのアノードは、図示しない電源端子に接続されている。
【００２９】
フォトカプラ７のフォトトランジスタ７ｔのコレクタは、室内ユニット１ａの受信用フォトカプラ６の発光ダイオード（発光素子）６ｄのカソードに接続され、そのアノードは、順接続されたダイオード１０及び抵抗２０を通じて、室内ユニット１ａの第３端子に接続されている。フォトカプラ６の発光ダイオード６ｄには、抵抗１６が並列接続されている。
フォトカプラ６のフォトトランジスタ（受光素子）６ｔのエミッタは、抵抗２４を通じてＧＮＤ端子に接続されると共に、制御部１４の受信部３３に接続され、そのコレクタは、図示しない電源端子に接続されている。
【００３０】
室外ユニット２ａの送信用フォトカプラ９のフォトトランジスタ（受光素子）９ｔのエミッタは、抵抗２１を通じて、室外ユニット２ａの第３端子に接続され、フォトカプラ９の発光ダイオード（発光素子）９ｄのカソードは、抵抗３１を通じて、室外ユニット２ａの制御部１５の送信部３６に接続されている。フォトカプラ９の発光ダイオード９ｄのアノードは、図示しない電源端子に接続されると共に、発光ダイオード９ｄには抵抗３０が並列接続されている。
【００３１】
フォトカプラ９のフォトトランジスタ９ｔのコレクタは、室外ユニット２ａの受信用フォトカプラ８の発光ダイオード（発光素子）８ｄのカソードに接続され、そのアノードは、順接続されたダイオード１１を通じて、室外ユニット２ａの第２端子に接続されている。フォトカプラ８の発光ダイオード８ｄには、コンデンサ２８及び抵抗１７が並列接続されている。
フォトカプラ８のフォトトランジスタ（受光素子）８ｔのエミッタは、抵抗１８及びコンデンサ２９の並列回路を通じてＧＮＤ端子に接続されると共に、制御部１５の受信部３５に接続され、そのコレクタは、図示しない電源端子に接続されている。
室外ユニット２ａの第２端子及び第３端子間には、コンデンサ２７が接続されている。
【００３２】
室内ユニット１ａ及び室外ユニット２ａは、各第１端子を接続する交流電源供給線３ａと、各第２端子を接続する交流電源供給線３ｂと、各第３端子を接続する１本の通信信号線３ｃとを備えるケーブル３により接続されている。また、室内ユニット１ａ及び室外ユニット２ａは、接地アース４に接続されている。
この通信制御装置は、以上のように、室内ユニット1ａ内の直流電源部３７を電源として、室内ユニット１ａの受信用フォトカプラ６の発光ダイオード６ｄ、送信用フォトカプラ７のフォトトランジスタ７ｔ、室外ユニット２ａの受信用フォトカプラ８の発光ダイオード８ｄ、送信用フォトカプラ９のフォトトランジスタ９ｔ及び通信信号線３ｃによるカレントループ型通信回路を構成することで、商用交流電源５の電源位相とは無関係に送受信を行なうことが出来る。
【００３３】
このような構成の空気調和機では、通信制御装置による通信は、先ず、電源被供給側である室外ユニット２ａから室内ユニット1ａへの送信から開始される。つまり、室内ユニット1ａの送信用フォトカプラ７は、送信部３４からの信号により、オン状態に保たれ、室外ユニット２ａ側の送信部３６により、送信信号に合わせて室外ユニット２ａ内の送信用フォトカプラ９がオン／オフされる。この際、双方の受信用フォトカプラ６，８で送信信号を受信することが出来る。
室外ユニット２ａから室内ユニット１ａへの送信が完了すれば、次に室内ユニット１ａから室外ユニット２ａへの送信が行なわれる。
【００３４】
室内ユニット１ａから室外ユニット２ａへの送信では、室外ユニット２ａの送信用フォトカプラ９は、送信部３６からの信号により、オン状態に保たれ、室内ユニット１ａ側の送信部３４により、送信信号に合わせて室内ユニット１ａ内の送信用フォトカプラ７がオン／オフされる。この際、双方の受信用フォトカプラ６，８で送信信号を受信する。その後は、順次、交互に送受信を行なうことにより、室内外通信を継続して行なう。
【００３５】
受信用フォトカプラ６の発光ダイオード６ｄに並列接続された抵抗１６、受信用フォトカプラ８の発光ダイオード８ｄに並列接続された抵抗１７、及び受信用フォトカプラ８のフォトトランジスタ８ｔのエミッタとＧＮＤ端子とを接続する抵抗１８を追加することにより、通信信号線３ｃに乗るノイズが減少し、通信の精度及び信頼性を向上させることが出来る。
ここで、例えば、抵抗２０及び抵抗２１の各抵抗値を約３ｋΩとした場合は、抵抗１６、抵抗１７、抵抗１８の各抵抗値を、約２．２ｋΩ、約２．２ｋΩ、約４．７ｋΩとする。
【００３６】
（実施の形態２）
図２は、本発明に係る通信制御装置及び空気調和機の実施の形態２の要部構成を示すブロック図である。この空気調和機は、３相交流電源２２を電源としており、室内ユニット１ｂは、３相交流電源２２の３相の内の２相の電源線により、通信制御装置の直流電源部３７の電源を供給される。
３相交流電源２２の２相の電源線３ｂと接地アース間の電圧は、図６（ｂ）に示すように、図６（ａ）に示す商用交流電源５の単相電圧と接地アース間の電圧に比較して、ピーク電圧が２倍であり、通信制御装置の回路に及ぼすノイズのレベルが大きくなっている。
【００３７】
直流電源部３７は、室内ユニット１ｂの第２端子を介して、３相交流電源２２の内の２相の一方の端子にカソードが接続されたツェナーダイオード１３、電解コンデンサ２６及び抵抗２５の並列回路と、室内ユニット１ｂの第１端子を介して、３相交流電源２２の内の２相の他方の端子にカソードが接続されたダイオード１２と、ダイオード１２及びツェナーダイオード１３の各アノード間を接続する抵抗３２とを備えている。
【００３８】
ツェナーダイオード１３のアノードは、室内ユニット１ｂの送信用フォトカプラ７のフォトトランジスタ７ｔのエミッタに接続され、フォトカプラ７の発光ダイオード７ｄのカソードは、抵抗２３を介して、室内ユニット１ｂの制御部１４の送信部３４に接続されている。
室外ユニット２ｂは、室内ユニット１ｂへの送信用フォトカプラ９のフォトトランジスタ９ｔに抵抗１９が並列接続されている。抵抗１９の抵抗値を適正に設定することにより、通信信号線３ｃに乗るノイズが減少し、通信の精度及び信頼性を向上させることが出来る。
【００３９】
ここで、例えば、抵抗２０及び抵抗２１の各抵抗値を約３ｋΩとした場合は、抵抗１６、抵抗１７、抵抗１９の各抵抗値を、約２．２ｋΩ、約２．２ｋΩ、約５６ｋΩとする。
本発明に係る通信制御装置及び空気調和機の実施の形態２のその他の構成及び動作は、上述した本発明に係る通信制御装置及び空気調和機の実施の形態１の構成及び動作と同様であるので、同一部分には同一符号を付して説明を省略する。
【００４０】
（実施の形態３）
図３は、本発明に係る通信制御装置及び空気調和機の実施の形態３の要部構成を示すブロック図である。この空気調和機は、室外ユニット２ｂの室内ユニット１ｂへの送信用フォトカプラ９のフォトトランジスタ９ｔに、抵抗１９を追加して並列接続する為の端子１９ａを設けてある。
【００４１】
これにより、接続ケーブル３が、内外通信を正常に行うことが出来る通常の長さである場合は、抵抗１９を接続せず、通信信号線３ｃにノイズが乗り、内外通信を正常に行うことが出来ない虞が有る、接続ケーブル３が１００ｍを超える場合にのみ、抵抗１９を簡単に追加接続することが出来る。
本発明に係る通信制御装置及び空気調和機の実施の形態３のその他の構成及び動作は、上述した本発明に係る通信制御装置及び空気調和機の実施の形態２の構成及び動作と同様であるので、同一部分には同一符号を付して説明を省略する。
【００４２】
（実施の形態４）
図４は、本発明に係る通信制御装置及び空気調和機の実施の形態４の要部構成を示すブロック図である。この空気調和機は、室内ユニット１ｃの受信用フォトカプラ６の発光ダイオード６ｄに可変抵抗１６ｂが並列接続され、室外ユニット２ｃの受信用フォトカプラ８の発光ダイオード８ｄに可変抵抗１７ｂが並列接続され、受信用フォトカプラ８のフォトトランジスタ８ｔのエミッタ及びＧＮＤ端子間に可変抵抗１８ａが接続されている。可変抵抗１６ｂ，１７ｂ，１８ａは、簡易に抵抗値を変えることが可能である。
【００４３】
これにより、接続ケーブル３が１００ｍを超える場合にも、抵抗の付け変え又は抵抗の追加等をする必要がなく、簡単に抵抗値を変えることにより、通信信号線３ｃに乗るノイズを抑制することが出来、内外通信を正常に行うことが出来る。
本発明に係る通信制御装置及び空気調和機の実施の形態４のその他の構成及び動作は、上述した本発明に係る通信制御装置及び空気調和機の実施の形態１の構成及び動作と同様であるので、同一部分には同一符号を付して説明を省略する。
【００４４】
（実施の形態５）
図５は、本発明に係る通信制御装置及び空気調和機の実施の形態５の要部構成を示すブロック図である。この空気調和機は、室内ユニット１ｄの受信用フォトカプラ６の発光ダイオード６ｄに可変抵抗１６ｂが並列接続され、室外ユニット２ｄの受信用フォトカプラ８の発光ダイオード８ｄに可変抵抗１７ｂが並列接続され、送信用フォトカプラ９のフォトトランジスタ９ｔに可変抵抗１９ｂが並列接続されている。可変抵抗１６ｂ，１７ｂ，１９ｂは、簡易に抵抗値を変えることが可能である。
【００４５】
これにより、接続ケーブル３が１００ｍを超える場合にも、抵抗の付け変え又は抵抗の追加等をする必要がなく、簡単に抵抗値を変えることにより、通信信号線３ｃに乗るノイズを抑制することが出来、内外通信を正常に行うことが出来る。
本発明に係る通信制御装置及び空気調和機の実施の形態５のその他の構成及び動作は、上述した本発明に係る通信制御装置及び空気調和機の実施の形態２の構成及び動作と同様であるので、同一部分には同一符号を付して説明を省略する。
【図面の簡単な説明】
【００４６】
【図１】本発明に係る通信制御装置及び空気調和機の実施の形態の要部構成を示すブロック図である。
【図２】本発明に係る通信制御装置及び空気調和機の実施の形態の要部構成を示すブロック図である。
【図３】本発明に係る通信制御装置及び空気調和機の実施の形態の要部構成を示すブロック図である。
【図４】本発明に係る通信制御装置及び空気調和機の実施の形態の要部構成を示すブロック図である。
【図５】本発明に係る通信制御装置及び空気調和機の実施の形態の要部構成を示すブロック図である。
【図６】（ａ）商用交流電源と接地アース間の電圧の波形を示す波形図である。（ｂ）３相交流電源と接地アース間の電圧の波形を示す波形図である。
【図７】従来の通信制御装置及び空気調和機の要部構成例を示すブロック図である。
【符号の説明】
【００４７】
１ａ〜１ｄ  室内ユニット（一方の装置、室内機）
２ａ〜２ｄ  室外ユニット（他方の装置、室外機）
３  ケーブル
３ｃ  通信信号線
４  接地アース
５  商用交流電源
６，８  （受信用）フォトカプラ
６ｄ〜９ｄ  発光ダイオード（発光素子）
６ｔ〜９ｔ  フォトトランジスタ（受光素子）
７，９  （送信用）フォトカプラ
１４，１５  制御部
１６，〜１９，１７ａ  抵抗
１６ｂ，１７ｂ，１８ａ，１９ｂ  可変抵抗
１９ａ  端子
２２  ３相交流電源
３３，３５  受信部
３４，３６  送信部
３７  直流電源部
【図１】
2006129276.tif 000003
【図２】
2006129276.tif 000004
【図３】
2006129276.tif 000005
【図４】
2006129276.tif 000006
【図５】
2006129276.tif 000007
【図６】
2006129276.tif 000008
【図７】
2006129276.tif 000009